(57)【特許請求の範囲】
【請求項１】
第１内容物を収容する第１室を有する第１容器と、第２内容物を収容する第２室を有する第２容器とを備える飲料容器本体において、前記第１内容物と前記第２内容物とを前記第２室内にて混合させて飲料を調製するために用いられるとともに、当該飲料を飲むための飲み口を有する飲み口付き飲料調製用器具であって、
前記飲料容器本体は、前記第１容器の前記第１室の底面と前記第２容器の前記第２室の天面とを対向させるように、前記第２容器の上に前記第１容器が設けられてなり、
前記飲み口付き飲料調製用器具は、前記飲み口と、前記飲み口に連続し、前記第１室の天面及び底面、並びに前記第２室の天面を穿刺・貫通可能な略筒状の穿刺部とを具備し、
前記穿刺部の側壁に、前記第１室及び前記第２室を連通可能にする開口部が複数形成され、前記複数の開口部のうちの少なくとも一の開口部は、当該開口部から前記穿刺部の直径方向に見たときに当該穿刺部の側壁の少なくとも一部が対向するように、前記穿刺部の側壁に形成されていることを特徴とする飲み口付き飲料調製用器具。
【請求項２】
前記穿刺部が前記第１室の天面及び底面、並びに前記第２室の天面に穿刺された状態において、前記開口部は、前記第１室及び前記第２室に跨るように前記穿刺部の側壁に形成されていることを特徴とする請求項１に記載の飲み口付き飲料調製用器具。
【請求項３】
前記開口部は略長方形状であって、前記略長方形状の長辺が前記穿刺部の軸方向に沿っていることを特徴とする請求項１又は２に記載の飲み口付き飲料調製用器具。
【請求項４】
前記穿刺部の周方向の長さと、前記穿刺部の軸方向に直交する方向における前記開口部の開口幅との比が、１：０．０５〜０．９７であることを特徴とする請求項１〜３のいずれかに記載の飲み口付き飲料調製用器具。
【請求項５】
前記第１内容物が固体状物であって、前記第２内容物が液状物であることを特徴とする請求項１〜４のいずれかに記載の飲み口付き飲料調製用器具。
【請求項６】
前記第１内容物が、粉末状乳剤であって、前記第２内容物が、前記第１内容物を溶解可能な液状物であることを特徴とする請求項１〜５のいずれかに記載の飲み口付き飲料調製用器具。
【請求項７】
請求項１〜６のいずれかに記載の飲み口付き飲料調製用器具と、
前記第１容器及び前記第２容器を有する前記飲料容器本体と
を備えることを特徴とする飲料容器。
【発明の詳細な説明】
【技術分野】
【０００１】
本発明は、飲み口付き飲料調製用器具及び飲料容器に関する。
【背景技術】
【０００２】
一般に、乳児用飲料としてのミルクは、粉末状の粉ミルクが収容された容器から必要量の粉ミルクを量り取って哺乳ビンに入れ、当該哺乳ビンに水又は湯を注入して粉ミルクを溶解させた後、適温に冷ますことにより調製される。しかしながら、このような方法では、ミルクの調製に時間がかかるため、乳児が泣き叫んでいるときなどの緊急時に、簡単な操作で短時間にミルクの調製が可能な容器の提案が要望されている。
【０００３】
このような要望に応えるべく、従来、水又は湯が収容され得る哺乳ビンと、当該哺乳ビンの口頚部に螺合される乳首キャップと、哺乳ビンの口頚部内に挿入される、粉ミルクが収容された粉ミルク収容体とを備える哺乳用混合容器が提案されている（特許文献１参照）。かかる哺乳用混合容器において、粉ミルク収容体は、その底壁に破断可能な開封予定部が形成されているとともに、当該開封予定部を破断可能なカッタ部を有している。当該カッタ部を開封予定部に向けて押圧することにより開封予定部が破断されると、粉ミルクが粉ミルク収容体から哺乳ビンに流出し、哺乳ビンに収容された水又は湯と粉ミルクとが当該哺乳ビン内で混合され得る。
【先行技術文献】
【特許文献】
【０００４】
【特許文献１】特許第４３０１５９４号公報
【発明の概要】
【発明が解決しようとする課題】
【０００５】
特許文献１に記載の哺乳用混合容器においては、水又は湯が所定量充填された哺乳ビンの口頚部内に粉ミルク収容体を挿入し、乳首キャップを当該哺乳ビンの口頚部に螺合して装着することで、哺乳ビン、乳首キャップ及び粉ミルク収容体を一体にすることができる。かかる哺乳用混合容器を用いてミルクを調製する方法としては、哺乳ビンから乳首キャップを取り外し、哺乳ビンの口頚部に挿入された粉ミルク収容体のカッタ部を下方（開封予定部）に向けて押圧して粉ミルクを流出させて水又は湯と混合させる。そして、粉ミルク収容体を取り外した後、口頚部に乳首キャップを装着することで、乳児に飲ませることができるようになる。
【０００６】
しかしながら、上記特許文献１に記載の哺乳用混合容器においては、哺乳ビンに乳首キャップが螺合されて装着されるため、ミルクの調製に際して哺乳ビンから乳首キャップを取り外すときや、ミルクの調製後、乳児に飲ませるために乳首キャップを装着するときに、片手での操作が困難である。乳児が泣き叫んでいるとき、乳児を連れて外出しているときなど、保護者が乳児を抱きながらミルクを調製することが多いため、片手での操作によりミルクを容易に、かつ短時間に調製することができないため、不便であるという問題がある。
【０００７】
このような課題に鑑み、本発明は、第１室に収容された第１内容物と第２室に収容された第２内容物とを、片手での簡単な操作により、短時間に第２室内で混合して飲料を調製することのできる飲み口付き飲料調製用器具及び飲料容器を提供することを目的とする。
【課題を解決するための手段】
【０００８】
上記課題を解決するために、本発明は、第１内容物を収容する第１室を有する第１容器と、第２内容物を収容する第２室を有する第２容器とを備える飲料容器本体において、前記第１内容物と前記第２内容物とを前記第２室内にて混合させて飲料を調製するために用いられるとともに、当該飲料を飲むための飲み口を有する飲み口付き飲料調製用器具であって、前記飲料容器本体は、前記第１容器の前記第１室の底面と前記第２容器の前記第２室の天面とを対向させるように、前記第２容器の上に前記第１容器が設けられてなり、前記飲み口付き飲料調製用器具は、前記飲み口と、前記飲み口に連続し、前記第１室の天面及び底面、並びに前記第２室の天面を穿刺・貫通可能な略筒状の穿刺部とを具備し、前記穿刺部の側壁に、前記第１室及び前記第２室を連通可能にする開口部が複数形成され、前記複数の開口部のうちの少なくとも一の開口部は、当該開口部から前記穿刺部の直径方向に見たときに当該穿刺部の側壁の少なくとも一部が対向するように、前記穿刺部の側壁に形成されていることを特徴とする飲み口付き飲料調製用器具を提供する（発明１）。
【０００９】
上記発明（発明１）によれば、第１室に収容された第１内容物と第２室に収容された第２内容物とを、飲み口付き飲料調製用器具の穿刺部を第１室の底面及び第２室の天面に穿刺し、貫通することで、穿刺部の側壁に形成された開口部を通じて第１内容物が第２室内に流出するため、片手での簡単な操作により、短時間に飲料を調製することができる。
【００１０】
上記発明（発明１）において、前記穿刺部が前記第１室の天面及び底面、並びに前記第２室の天面に穿刺された状態において、前記開口部は、前記第１室及び前記第２室に跨るように前記穿刺部の側壁に形成されているのが好ましい（発明２）。
【００１１】
上記発明（発明１，２）において、前記開口部は略長方形状であって、前記略長方形状の長辺が前記穿刺部の軸方向に沿っているのが好ましい（発明３）。
【００１３】
上記発明（発明１〜３）において、前記穿刺部の周方向の長さと、前記穿刺部の軸方向に直交する方向における前記開口部の開口幅との比が、１：０．０５〜０．９７であるのが好ましい（発明４）。
【００１４】
上記発明（発明１〜４）において、前記第１内容物が固体状物であって、前記第２内容物が液状物であるのが好ましく（発明５）、前記第１内容物が、粉末状乳剤であって、前記第２内容物が、前記第１内容物を溶解可能な液状物であるのが好ましい（発明６）。
【００１５】
また、本発明は、上記発明（発明１〜６）に係る飲み口付き飲料調製用器具と、前記第１容器及び前記第２容器を有する前記飲料容器本体とを備えることを特徴とする飲料容器を提供する（発明７）。
【発明の効果】
【００１６】
本発明によれば、第１室に収容された第１内容物と第２室に収容された第２内容物とを、片手での簡単な操作により、短時間に第２室内で混合して飲料を調製することのできる飲み口付き飲料調製用器具及び飲料容器を提供することができる。
【図面の簡単な説明】
【００１７】
【図１】図１は、本発明の一実施形態における飲料容器の概略構成を示す断面図である。
【図２】図２は、本発明の一実施形態に係る飲み口付き飲料調製用器具の概略構成を示す斜視図である。
【図３】図３は、本発明の一実施形態における取付部材の概略構成を示す切断端面図である。
【図４】図４（Ａ）は、本発明の一実施形態における取付部材と人工乳首との取り付け状態を示す部分拡大断面図であり、図４（Ｂ）は、当該取付部材と穿刺部との取り付け状態を示す部分拡大断面図であり、図４（Ｃ）は、当該取付部材と飲料容器本体（第１容器）との取り付け状態を示す部分拡大断面図である。
【図５】図５は、本発明の一実施形態における人工乳首の概略構成を示す切断端面図である。
【図６】図６は、本発明の一実施形態における穿刺部の概略構成を示す切断端面図である。
【図７】図７は、本発明の一実施形態における穿刺部の概略構成を示す斜視図である。
【図８】図８は、本発明の一実施形態における穿刺部（筒状部）に形成された開口部の概略構成を示す断面図である。
【図９】図９は、本発明の一実施形態における飲料容器本体の概略構成を示す断面図である。
【図１０】図１０は、本発明の一実施形態における連結部材の概略構成を示す斜視図である。
【発明を実施するための形態】
【００１８】
本発明の実施の形態について、図面を参照しながら説明する。図１は、本実施形態における飲料容器の概略構成を示す断面図であり、図２は、本実施形態に係る飲み口付き飲料調製用器具の概略構成を示す斜視図であり、図３は、本実施形態における取付部材の概略構成を示す切断端面図であり、図４（Ａ）は、本実施形態における取付部材と人工乳首との取り付け状態を示す部分拡大断面図であり、図４（Ｂ）は、当該取付部材と穿刺部との取り付け状態を示す部分拡大断面図であり、図４（Ｃ）は、当該取付部材と飲料容器本体（第１容器）との取り付け状態を示す部分拡大断面図であり、図５は、本実施形態における人工乳首の概略構成を示す切断端面図であり、図６は、本実施形態における穿刺部の概略構成を示す切断端面図であり、図７は、本実施形態における穿刺部の概略構成を示す斜視図であり、図８は、本実施形態における穿刺部（筒状部）に形成された開口部の概略構成を示す断面図であり、図９は、本実施形態における飲料容器本体の概略構成を示す断面図であり、図１０は、本実施形態における連結部材の概略構成を示す斜視図である。
【００１９】
図１に示すように、本実施形態における飲料容器１０は、本実施形態に係る飲み口付き飲料調製用器具１と、当該飲み口付き飲料調製用器具１が取り付けられる飲料容器本体１１とを備える。飲料容器本体１１は、第１内容物としての粉末状乳剤Ｓ１を収容する第１室１２ａを有する第１容器１２と、第２内容物としての水Ｌ１を収容する第２室１３ａを有する第２容器１３とを有する。飲料容器本体１１の構成の詳細については、後述する。
【００２０】
図２に示すように、本実施形態に係る飲み口付き飲料調製用器具１は、飲み口としての人工乳首２と、略筒状の穿刺部３と、人工乳首２及び穿刺部３を保持・固定するとともに、飲料容器１（第１容器１２）に取り付けるための取付部材４とを備え、第１室１２ａ内の粉末状乳剤Ｓ１を第２室１３ａ内に流出させ、粉末状乳剤Ｓ１及び水Ｌ１を第２室１３ａ内で混合し、乳児用飲料を調製するために用いられる。
【００２１】
図３に示すように、取付部材４は、略円筒状の側壁部４１と、側壁部４１の一端（上端）から径方向内側に延びる第１環状フランジ部４２と、側壁部４１の他端（下端）から径方向内側に延びる第２環状フランジ部４３とを有する。
【００２２】
第１環状フランジ部４２は、上方の開口４２１を構成し、人工乳首２は、開口４２１を介して上方に突出する。第１環状フランジ部４２の下面には、下方に突出する環状突起４２２が設けられており、環状突起４２２が人工乳首２のフランジ部２４に形成されている溝２４１に嵌合することで、人工乳首２が取付部材４に保持・固定される（図４（Ａ）参照）。
【００２３】
第２環状フランジ部４３は、下方の開口４３１を構成し、穿刺部３は、開口４３１を介して下方に突出する。第２環状フランジ部４３の上面には、上方に突出する環状突起４３２が設けられており、環状突起４３２が穿刺部３のフランジ部３２に形成されている溝３２１に嵌合することで、穿刺部３が取付部材４に保持・固定される（図４（Ｂ）参照）。このように、人工乳首２及び穿刺部３がともに取付部材４に保持・固定されることで、人工乳首２と穿刺部３とが、取付部材４を介して連続することになる。
【００２４】
第２環状フランジ部４３の下面には、下方に突出するカギ型環状突起４３３が形成されており、当該カギ型環状突起４３３が第１容器本体１２１の天面部１２３に形成されている環状溝１２９に係合されることで、本実施形態に係る飲み口付き飲料調製用器具１を飲料容器本体１１（第１容器１２）に取り付けることができる（図４（Ｃ）参照）。
【００２５】
第２環状フランジ部４３の下面のカギ型環状突起４３３の内側に、Ｏリング５０を取付可能な環状溝４３４が形成されている。当該環状溝４３４にＯリング５０が取り付けられることで、取付部材４と第１容器１２との間から乳児用飲料が漏出するのを防止することができる。
【００２６】
図５に示すように、人工乳首２は、軟質の合成樹脂等の弾性材料（例えばシリコーン樹脂）を一体成形することにより形成されている。人工乳首２は、上端に位置する乳頭部２１、乳頭部２１から拡径しつつ下方に連続する胴部２２、胴部２２から拡径しつつ下方に連続する基部２３及び基部２３の下端から径方向外側に延びるフランジ部２４を有する。フランジ部２４の上面には、取付部材４の第１環状フランジ部４２の下面に形成されている環状突起４２２と嵌合可能な溝２４１が形成されている。
【００２７】
図６及び図７に示すように、穿刺部３は、筒状部３１と、筒状部３１の一端から径方向外側に延びるフランジ部３２と、筒状部３１の他端に連続する、実質的に鋭利な形状を有する穿刺端部３３とを有する。フランジ部３２の下面には、取付部材４の第２環状フランジ部４３の上面に形成されている環状突起４３２と嵌合可能な溝３２１が形成されている。
【００２８】
筒状部３１には、複数（図６及び図７に示す例においては３個）の開口部３４が形成されており、各開口部３４は、筒状部３１の軸方向（図６及び図７に示す例において縦方向）と長辺とが平行な略長方形状を有している。本実施形態に係る飲み口付き飲料調製用器具１が飲料容器本体１１に取り付けられたとき（取付部材４のカギ型環状突起４３３が第１容器本体１２１の天面部１２３に形成されている環状溝１２９に係合したとき）に、各開口部３４は、飲料容器１０の第１室１２ａ及び第２室１３ａに跨るように形成されている。このように、開口部３４が飲料容器１０の第１室１２ａ及び第２室１３ａに跨るように形成されていることで、本実施形態に係る飲み口付き飲料調製用器具１を飲料容器本体１１に取り付けた際に、第１室１２ａと第２室１３ａとが開口部３４（及び筒状部３１）を介して連通する。これにより、第１室１２ａ内に収容されている粉末状乳剤Ｓ１が、第２室１３ａ内に流出し、第２室１３ａ内に収容されている水Ｌ１と混合され得る（図１参照）。
【００２９】
本実施形態において、図８に示すように、筒状部３１の直径方向（図８において塗り潰した矢印で示す方向）に沿って開口部３４から見たときに、当該開口部３４は、筒状部３１の側壁３５の少なくとも一部が対向するように、当該筒状部３１に形成されているのが好ましい。後述するように、本実施形態に係る飲み口付き飲料調製用器具１は、飲料容器本体１１に取り付けられた後、飲料容器１０を横方向に振動させることで、第１室１２ａ内に収容されている粉末状乳剤Ｓ１の第２室１３ａ内への流出が促進される。このとき、一の開口部３４と他の開口部３４とが筒状部３１の直径方向において対向していると、一の開口部３４から筒状部３１内に入った粉末状乳剤Ｓ１の一部が他の開口部３４から第１室１２ａ内に戻ってしまい、粉末状乳剤Ｓ１の第２室１３ａ内への流出を妨げるおそれがある。しかしながら、一の開口部３４と筒状部３１の側壁３５の少なくとも一部とが筒状部３１の直径方向において対向していることで、一の開口部３４から筒状部３１内に入った粉末状乳剤Ｓ１が、当該側壁３５に当たり、筒状部３１内を第２室１３ａ側に落下する。その結果、飲料容器１を横方向に振動させるだけで、第１室１２ａ内に収容されている粉末状乳剤Ｓ１の第２室１３ａ内への流出がより促進され得る。
【００３０】
本実施形態において、筒状部３１の周方向の外周長さと、すべての開口部３４の開口幅Ｗ34の合計長さとの比が、１：０．０５〜０．９７であるのが好ましく、１：０．１〜０．９であるのがより好ましい。当該比が１：０．０５未満であると、本実施形態に係る飲み口付き飲料調製用器具１を飲料容器本体１１に取り付け、飲料容器１０を横方向に振動させたときに、第１室１２ａ内に収容されている粉末状乳剤Ｓ１が第２室１３ａ内に流出し難くなるおそれがある。一方で、各開口部３４の開口幅Ｗ34を大きくすることで、第１室１２ａ内の粉末状乳剤Ｓ１の第２室１３ｂ内への流出を促進可能であるものの、当該開口幅Ｗ34を大きくしすぎて上記比が１：０．９７を超えると、飲み口付き飲料調製用器具１、特に穿刺部３の強度が低下するおそれがある。
【００３１】
本実施形態における飲料容器本体１１は、上述したように、第１容器１２及び第２容器１３を備える。図９に示すように、第１容器１２は、天面部１２３、天面部１２３の周縁に連続する胴部１２４及び胴部１２４の端部から外側に延びるフランジ部１２５を有し、天面部１２３に対向する開口部１２６が形成されてなる第１容器本体１２１と、当該開口部１２６を閉塞する第１蓋部１２２とを有する。この第１蓋部１２２が、第１容器１２の底面を構成し、第１蓋部１２２により開口部１２６が閉塞されることで第１容器１２（第１室１２ａ）が密封される。
【００３２】
第１容器本体１２１は、例えば、ポリエチレン、ポリプロピレン、ポリエチレンテレフタレート、ポリスチレン、ポリアミド、エチレン−酢酸ビニル共重合体、エチレン−ビニルアルコール共重合体、ポリ塩化ビニリデン等の合成樹脂材料；紙材料；アルミニウム、スチール等の金属材料等により構成され得る。第１容器本体１２１は、単層体であってもよいし、２種以上の合成樹脂、合成樹脂と金属、合成樹脂と紙と金属等の積層体であってもよい。
【００３３】
第１容器本体１２１の厚さは、例えば、０．３〜１．０ｍｍ程度であるのが好ましく、０．４〜０．７ｍｍ程度であるのがより好ましい。当該厚さが０．３ｍｍ未満であると、強度が不十分となり、流通過程等において変形してしまうおそれがある。また、１．０ｍｍを超えると、材料の使用量が多くなり、環境面及びコスト面において好ましくない。
【００３４】
第１容器本体１２１の天面部１２３の略中央には、本実施形態に係る飲み口付き飲料調製用器具１の穿刺部３が挿入され得る孔１２７が形成されており、当該孔１２７を閉塞するように、剥離容易な封止フィルム１２８が天面部１２３に貼付されている。
【００３５】
第１容器本体１２１の天面部１２３には、その孔１２７の外側に断面略Ｌ字状の環状溝１２９が形成されている。かかる環状溝１２９は、本実施形態に係る飲み口付き飲料調製用器具１の穿刺部３が孔１２７に挿入された際の取付部材４のカギ型環状突起４３３の位置に対応する位置に形成されている。
【００３６】
第１蓋部１２２は、シート状であって、第１容器本体１２１のフランジ部１２５に接合されている。第１蓋部１２２とフランジ部１２５との接合方法としては、例えば、熱溶着、超音波溶着、高周波溶着、レーザー溶着等により溶着する方法、接着剤等を介して接着する方法等が挙げられる。
【００３７】
第１蓋部１２２は、鋭利な物体が突き刺さったときに実質的に延伸することなく裂ける性質（割裂性）を有する包材（割裂性包材）により構成されるのが好ましい。本実施形態において、第１容器本体１２１の天面部１２３に形成されている孔１２７から飲み口付き飲料調製用器具１の穿刺部３が挿入されると、第１蓋部１２２に穿刺端部３３が当接する。そのまま、第２容器１３側に向かって飲み口付き飲料調製用器具１を押し込んだとき、第１蓋部１２２が割裂性包材により構成されていることで、わずかな力で第１蓋部１２２が裂かれ得る。このような割裂性包材としては、例えば、アルミニウム箔とポリプロピレンとの積層体、アルミニウム箔と接着剤層との積層体、アルミニウム箔とイージーピールフィルムとの積層体等が挙げられる。第１蓋部１２２の厚さは、例えば、２０μｍ〜１００μｍ程度である。
【００３８】
第２容器１３は、底面部１３３、底面部１３３の周縁に連続する胴部１３４及び胴部１３４の端部から外側に延びるフランジ部１３５を有し、底面部１３３に対向する開口部１３６が形成されてなる第２容器本体１３１と、当該開口部１３６を閉塞する第２蓋部１３２とを有する。この第２蓋部１３２が、第２容器１３の天面を構成し、第２蓋部１３２により開口部１３６が閉塞されることで第２容器１３（第２室１３ａ）が密封される。
【００３９】
第２容器本体１３１は、例えば、ポリエチレン、ポリプロピレン、ポリエチレンテレフタレート、ポリスチレン、ポリアミド、エチレン−酢酸ビニル共重合体、エチレン−ビニルアルコール共重合体、ポリ塩化ビニリデン等の合成樹脂材料；紙材料；アルミニウム、スチール等の金属材料等により構成され得る。第２容器本体１３１は、単層体であってもよいし、２種以上の合成樹脂、合成樹脂と金属、合成樹脂と紙と金属等の積層体であってもよい。
【００４０】
第２容器本体１３１の厚さは、例えば、０．３〜１．０ｍｍ程度であるのが好ましく、０．４〜０．７ｍｍ程度であるのがより好ましい。当該厚さが０．３ｍｍ未満であると、強度が不十分となり、流通過程等において変形してしまうおそれがある。また、１．０ｍｍを超えると、材料の使用量が多くなり、環境面及びコスト面において好ましくない。
【００４１】
第２蓋部１３２は、シート状であって、第２容器本体１３１のフランジ部１３５に接合され得る。第２蓋部１３２とフランジ部１３５との接合方法としては、例えば、熱溶着、超音波溶着、高周波溶着、レーザー溶着等により溶着する方法、接着剤等を介して接着する方法等が挙げられる。
【００４２】
第２蓋部１３２は、鋭利な物体が突き刺さったときに実質的に延伸することなく裂ける性質（割裂性）を有する包材（割裂性包材）により構成されるのが好ましい。本実施形態において、第１容器１２の第１蓋部１２２を飲み口付き飲料調製用器具１の穿刺部３が穿刺・貫通すると、第２蓋部１３２に穿刺端部３３が当接する。そのまま、第２容器１３側に向かって飲み口付き飲料調製用器具１をさらに押し込んだとき、第２蓋部１３２が割裂性包材により構成されていることで、わずかな力で第２蓋部１３２が裂かれ得る。このような割裂性包材としては、例えば、アルミニウム箔とポリプロピレンとの積層体、アルミニウム箔と接着剤層との積層体、アルミニウム箔とイージーピールフィルムとの積層体等が挙げられる。第２蓋部１３２の厚さは、例えば、２０μｍ〜１００μｍ程度である。
【００４３】
本実施形態における飲料容器１０において、第１容器１２と第２容器１３とは、第１容器１２の第１蓋部１２２（底面）と第２容器１３の第２蓋部１３２（天面）とを対向させるようにして、連結部材１４を介して連結されている。
【００４４】
図１０に示すように、連結部材１４は、環状の連結部１４１と、連結部１４１の上端及び下端のそれぞれに連続する係合突起１４２，１４３と、２つの係合突起１４２，１４３の間に位置し、連結部１４１の内壁面から突出する中央突起１４４とを有する。２つの係合突起１４２，１４３のそれぞれと中央突起１４４との間に、第１容器本体１２１のフランジ部１２５及び第２容器本体１３１のフランジ部１３５のそれぞれを係合させることで、第１容器１２及び第２容器１３が連結・固定される。
【００４５】
上述した構成を有する飲料容器１０（飲み口付き飲料調製用器具１及び飲料容器本体１１）を用いて乳児用飲料を調製する方法を説明する。
【００４６】
まず、飲料容器本体１１の第１容器１２の天面部１２３に貼り付けられている封止フィルム１２８を剥離し、それにより露出した孔１２７に飲み口付き飲料調製用器具１の穿刺部３を挿入する。
【００４７】
穿刺部３の穿刺端部３３が第１蓋部１２２に当接したら、その状態のまま、飲み口付き飲料調製用器具１を第２容器１３側に押し込む。第１蓋部１２２が割裂性包材により構成されていることで、弱い力であっても容易に第１蓋部１２２が割裂する。
【００４８】
次に、穿刺部３の穿刺端部３３が第２蓋部１３２に当接したら、その状態のまま、飲み口付き飲料調製用器具１を第２容器１３側にさらに押し込む。第２蓋部１３２が割裂性包材により構成されていることで、弱い力であっても容易に第２蓋部１３２が割裂する。
【００４９】
そして、飲み口付き飲料調製用器具１の取付部材４の第２環状フランジ部４３の下面に設けられたカギ型環状突起４３３を、第１容器本体１２１の天面部１２３に形成された環状溝１２９に係合させる。このようにして、飲み口付き飲料調製用器具１を飲料容器本体１１に取り付けることができる。
【００５０】
続いて、飲み口付き飲料調製用器具１が飲料容器本体１１に取り付けられた飲料容器１０を、左右方向（横方向）に振動させる。このように振動させることで、第１室１２ａ内に収容されている粉末状乳剤Ｓ１が、開口部３４及び筒状部３１を介して第２室１３ａ内へと流出するとともに、第２室１３ａ内の水Ｌ１に粉末状乳剤Ｓ１を混合・溶解させることができる。これにより、乳児用飲料を調製することができる。
【００５１】
この一連の操作は、片手で行われ得る。そのため、本実施形態に係る飲み口付き飲料調製用器具１及び飲料容器１０によれば、保護者が乳児を抱いて片手が塞がった状態であったとしても、片手での操作により乳児用飲料を容易に、かつ短時間に調製することができる。さらには、飲料容器１０には、飲み口としての人工乳首２が付いているため、片手での操作により乳児用飲料を調製した後、そのまま乳児に乳児用飲料を飲ませることができる。
【００５２】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５３】
上記実施形態においては、筒状部３１に３個の開口部３４が形成されている態様を例に挙げたが、本発明はこのような態様に限定されるものではない。例えば、筒状部３１に１個以上の開口部３４が形成されていればよく、３〜５個の開口部３４が形成されているのが好ましい。３〜５個の開口部３４が形成されていることで、粉末状乳剤Ｓ１を第１室１２ａ内に実質的に残存させることなく、第２室１３ａに流出させることができる。
【００５４】
上記実施形態においては、第１室１２ａに収容される粉末状乳剤Ｓ１と第２室１３ａに収容される水Ｌ１とを混合して乳児用飲料を調製する態様を例に挙げて説明したが、本発明はこのような態様に限定されるものではなく、２種の内容物の混合により調製され得る飲料であればよい。本発明の飲み口付き飲料調製用器具１が用いられる態様として、好適には、第１室１２ａに収容される第１内容物が固体であって、第２室１３ａに収容される第２内容物が液体である態様が挙げられ、より好適には、第１室１２ａに収容される第１内容物が粉末状固体である態様が挙げられる。第１室１２ａに固体（粉末状固体）が収容されている態様においては、本発明の飲み口付き飲料調製用器具１を用いることで、第1室１２ａに収容されている粉末状固体と第２室１３ａに収容されている液体とを、片手での操作により、容易にかつ短時間に混合させることができる。この場合において、飲料の種類に応じ、飲み口としての人工乳首２を他の構造のもの（例えばストロー状のもの等）に変更すればよい。
【実施例】
【００５５】
以下、試験例等を挙げて本発明をさらに詳細に説明するが、本発明は、下記の試験例等に何ら限定されるものではない。
【００５６】
〔試験例１〕
図６〜８に示す構成を有する穿刺部３の評価用サンプル（サンプル１〜６；筒状部３１の外径：１７ｍｍ，穿刺部３の軸方向長さ：６０ｍｍ，開口部３４の軸方向長さ：３８ｍｍ）と、図９に示す構成を有し、第１室１２ａ内に粉末状乳剤Ｓ１（明治ほほえみ，明治社製）を１８ｇ収容し、第２室１３ａ内に常温の水１４０ｇを収容した飲料容器本体１１とを用意した。当該飲料容器本体１１に穿刺部３を取り付け、以下の条件（支点から容器中央までの長さ：６２０ｍｍ、揺動角度：１４．８°、１秒間に１．２５往復の周期で１５往復）で、当該飲料容器本体１１を振り子状に揺動させた。その後、第１室１２ａ内に残存する粉末状乳剤Ｓ１の重量（ｇ）を測定した（ｎ＝３）。結果を表１に示す。なお、評価用サンプル（サンプル１〜６）において、筒状部３１の周方向の外周長さと開口部３４の開口幅Ｗ34の合計長さとの比を１：０．５とし、開口部３４を等ピッチに形成した。
【００５７】
【表１】
0006603081.tif 000002
【００５８】
〔試験例２〕
飲料容器本体１１の揺動回数を２０回にした以外は、試験例１と同様にして第１室１２ａ内に残存する粉末状乳剤Ｓ１の重量（ｇ）を測定した（ｎ＝４）。結果を表２に示す。
【００５９】
【表２】
0006603081.tif 000003
【００６０】
表１及び表２に示す結果から、第１室１２ａ及び第２室１３ａを連通可能にする開口部３４が穿刺部３に形成されていることで、当該開口部３４を介して第１室１２ａ内の粉末状乳剤Ｓ１をほとんど残存させることなく第２室１３ａ内に流出させ得ることが確認された。
【００６１】
特に、３個の開口部３４が形成されているサンプル３及び５個の開口部３４が形成されているサンプル５においては、筒状部３１の直径方向において、開口部３４に対向する側壁３５を有することで、開口部３４から筒状部３１内に入った粉末状乳剤Ｓ１が側壁３５に当たり、筒状部３１内を第２室１３ａに向かって落下するため、第１室１２ａ内の粉末状乳剤Ｓ１を第２室１３ａ内に流出させやすくなったものと推察される。
【００６２】
〔試験例３〕
筒状部３１の周方向の外周長さと開口部３４の開口幅Ｗ34の合計長さとの比（開口率（％）：筒状部３１の外周長さに対する開口幅Ｗ34の合計長さの比）を表３に示すように設計した、図６〜８に示す構成を有する穿刺部３の評価用サンプル（サンプル７〜１３；筒状部３１の外径：１７ｍｍ，穿刺部３の軸方向長さ：６０ｍｍ，開口部３４の軸方向長さ：３８ｍｍ）を用意し、図９に示す構成を有し、第１室１２ａ内に粉末状乳剤Ｓ１（明治ほほえみ，明治社製）を１８ｇ収容した飲料容器本体１１に当該評価用サンプル（穿刺部３）を取り付けた。そして、試験例１と同様にして当該飲料容器本体１１を振り子状に揺動し、第１室１２ａから第２室１２ｂに粉末状乳剤Ｓ１が落下する様子を目視にて確認することで、乳児用飲料の調製容易性を評価した。結果を表３に示す。なお、本試験例３において、第１室１２ａの粉末状乳剤Ｓ１のほとんどが第２室１２ｂに落下したサンプルを「○」と評価し、第１室１２ａの粉末状乳剤Ｓ１が第２室１２ｂに落下し難かったサンプルを「△」と評価し、第１室１２ａの粉末状乳剤Ｓ１が第２室１２ｂに落下しなかったサンプルを「×」と評価した。
【００６３】
【表３】
0006603081.tif 000004
【００６４】
表３に示すように、筒状部３１の周方向の外周長さと開口部３４の開口幅Ｗ34の合計長さとの比を１：０．０５以上とすることで、第１室１２ａの粉末状乳剤Ｓ１のほとんどを第２室１２ｂに落下させることができ、乳児用飲料を容易に調製可能であることが確認された。なお、上記比が１：０．５未満（開口率が５％未満，サンプル７、８）であると、振り子状に揺動させるだけでは粉末状乳剤Ｓ１を落下させ難いものの、例えば、飲料用容器本体１１を逆さにし、第２室１２ｂに収容されている水を第１室１２ａ内に流出させることで、乳児用飲料を調製することができると推認される。
【００６５】
また、開口率を大きくすることで、乳児用飲料の調製は容易になるものの、上記比が１：０．９７（開口率９７％）を超えると（サンプル１３）、穿刺部３の強度の点で問題が生じ得るものと推認される。
【符号の説明】
【００６６】
１…飲み口付き飲料調製用器具
２…人工乳首（飲み口）
３…穿刺部
３１…筒状部
３４…開口部
３５…側壁
４…取付部材
１０…飲料容器
１１…飲料容器本体
１２…第１容器
１２ａ…第１室
１２２…第１蓋部（底面）
１３…第２容器
１３ａ…第２室
１３２…第２蓋部（天面）
Ｓ１…粉末状乳剤（第１内容物）
Ｌ１…水（第２内容物）
【図１】
0006603081.tif 000005
【図２】
0006603081.tif 000006
【図３】
0006603081.tif 000007
【図４】
0006603081.tif 000008
【図５】
0006603081.tif 000009
【図６】
0006603081.tif 000010
【図７】
0006603081.tif 000011
【図８】
0006603081.tif 000012
【図９】
0006603081.tif 000013
【図１０】
0006603081.tif 000014